(57)【要約】【課題】光漏れを抑制した液晶表示素子を提供することを目的とする。【解決手段】液晶表示素子１００は、液晶３０と、液晶３０を狭持する第１の基板１０と第２の基板２０とを備える。第１の基板１０と第２の基板２０は、それぞれ電極パターンを有し、電極パターンは、液晶３０に電圧を印加する駆動電極１２と駆動電極１２に電圧信号を供給する引き回し配線１３とから構成される。また、第１の基板１０と第２の基板２０の少なくとも一方は、液晶表示素子１００を平面視した場合に、第１の基板１０と第２の基板２０の少なくとも一方に設けられたグランドパターン１４と電極パターンとの間を覆う第１の遮光層２１を有する。【選択図】図２
2014228722.tif 000002
【特許請求の範囲】
【請求項１】
液晶と、前記液晶を狭持する第１の基板と第２の基板とを備えた液晶表示素子であって、
前記第１の基板と前記第２の基板は、それぞれ電極パターンを有し、
前記電極パターンは、前記液晶に電圧を印加する駆動電極と前記駆動電極に電圧信号を供給する引き回し配線とから構成され、
前記第１の基板と前記第２の基板の少なくとも一方は、前記液晶表示素子を平面視した場合に、前記第１の基板と前記第２の基板の少なくとも一方に設けられたグランドパターンと前記電極パターンとの間を覆う第１の遮光層を有する、
ことを特徴とする液晶表示素子。
【請求項２】
前記第１の遮光層の幅が５０μｍ以上、３００μｍ以下である、
ことを特徴とする請求項１に記載の液晶表示素子。
【請求項３】
前記第１の基板と前記第２の基板はシール部材によって貼り合わされ、
前記第１の基板と前記第２の基板は、それぞれ前記シール部材に囲まれる領域内に前記液晶を配向する配向膜を有し、
前記第１の基板と前記第２の基板の少なくとも一方は、前記液晶表示素子を平面視した場合に、前記シール部材と前記配向膜との間を覆う第２の遮光層を有する、
ことを特徴とする請求項１又は２に記載の液晶表示素子。
【請求項４】
前記第２の遮光層の幅が、２０μｍ以上、１０００μｍ以下である、
ことを特徴とする請求項３項に記載の液晶表示素子。
【請求項５】
前記液晶表示素子を平面視した場合、前記第１の基板と前記第２の基板の少なくとも一方は、前記第１の基板の駆動電極と前記第２の基板の駆動電極とが重なる領域の端部を覆う第３の遮光層を有する、
ことを特徴とする請求項１乃至４のいずれか１項に記載の液晶表示素子。
【請求項６】
前記液晶表示素子を平面視した場合、前記第１の基板と前記第２の基板の少なくとも一方は、前記第１の基板の駆動電極と前記第２の基板の駆動電極とが重なる領域を当該領域の角部を面取りした形状に残して、当該領域の端部を覆う第４の遮光層を有する、
ことを特徴とする請求項１乃至４のいずれか１項に記載の液晶表示素子。
【発明の詳細な説明】
【技術分野】
【０００１】
本発明は、液晶表示素子に関する。
【背景技術】
【０００２】
特許文献１には、静電気による誤点灯を抑制するために、液晶表示領域の外周部に静電気用アースパターンを設けた液晶表示素子が開示されている。
【先行技術文献】
【特許文献】
【０００３】
【特許文献１】特開２００８−１７０８１２号公報
【発明の概要】
【発明が解決しようとする課題】
【０００４】
特許文献１に係る液晶表示素子では、絶縁性の高い基板が露出する面積を小さくするために、静電気用アースパターンの面積を広くすることが望ましい。静電気用アースパターンの面積を広くした場合、表示用の透明電極に電圧信号を供給する引き回し配線と静電気用アースパターンとの間隔が狭くなることによって、引き回し配線と静電気用アースパターンとの間に横電界が発生する。引き回し配線と静電気用アースパターンとの間で発生した横電界は、液晶の配向を乱すので、液晶表示素子に光漏れ（異常点灯）が生じる。
【０００５】
本発明は、上記実状に鑑みてなされたものであり、光漏れを抑制した液晶表示素子を提供することを目的とする。
【課題を解決するための手段】
【０００６】
上記目的を達成するため、本発明の液晶表示素子は、
液晶と、前記液晶を狭持する第１の基板と第２の基板とを備えた液晶表示素子であって、
前記第１の基板と前記第２の基板は、それぞれ電極パターンを有し、
前記電極パターンは、前記液晶に電圧を印加する駆動電極と前記駆動電極に電圧信号を供給する引き回し配線とから構成され、
前記第１の基板と前記第２の基板の少なくとも一方は、前記液晶表示素子を平面視した場合に、前記第１の基板と前記第２の基板の少なくとも一方に設けられたグランドパターンと前記電極パターンとの間を覆う第１の遮光層を有する、
ことを特徴とする。
【発明の効果】
【０００７】
本発明によれば、光漏れを抑制した液晶表示素子を提供することができる。
【図面の簡単な説明】
【０００８】
【図１】本発明の実施の形態１に係る液晶表示素子の外観を示す図である。
【図２】図１に示す液晶表示素子におけるＡ−Ａ線の概略断面図である。
【図３】図１に示す液晶表示素子におけるＢ−Ｂ線の概略断面図である。
【図４】本発明の実施の形態１に係る液晶表示素子の目視試験の結果を示す図である。
【図５】本発明の実施の形態２に係る液晶表示素子の断面を示す模式図である。
【図６】本発明の実施の形態２に係る液晶表示素子の目視試験の結果を示す図である。
【図７】本発明の実施の形態３に係る液晶表示素子の断面を示す模式図である。
【図８】本発明の実施の形態４に係る液晶表示素子の外観を示す図である。
【図９】図８に示す液晶表示素子におけるＣ−Ｃ線の概略断面図である。
【図１０】本発明の実施の形態４に係る第１の基板の駆動電極と第２の基板の駆動電極とが重なる領域を示す模式図である。
【図１１】本発明の実施の形態４に係る第１の基板の駆動電極と第２の基板の駆動電極とが重なる領域を示す模式図である。
【図１２】図１１に示す第１の基板の駆動電極と第２の基板の駆動電極とが重なる領域におけるＤ−Ｄ線の概略断面図である。
【発明を実施するための形態】
【０００９】
（実施の形態１）
本発明の実施の形態１について、図１〜４を参照して説明する。
【００１０】
図１に、本実施の形態に係る液晶表示素子１００の外観を示す。また、図２は図１におけるＡ−Ａ線断面の概略、図３は図１におけるＢ−Ｂ線断面の概略を示す。
本実施の形態に係る液晶表示素子１００は、互いに対向する第１の基板１０、第２の基板２０と、第１の基板１０と第２の基板２０とによって狭持される液晶３０とを備える。第１の基板１０と第２の基板２０は、シール部材４０によって貼り合わされる。液晶表示素子１００は偏光板（図示せず）に挟まれる。
【００１１】
第１の基板１０と第２の基板２０は、それぞれ電極パターン１１を有する。電極パターン１１は、液晶に電圧を印加する駆動電極１２と駆動電極１２に電圧信号を供給する引き回し配線１３とから構成される。第１の基板１０の駆動電極１２と第２の基板２０の駆動電極１２は複数のセグメント電極又はコモン電極から構成される。すなわち、本実施の形態における液晶表示素子１００は、セグメント表示を行う液晶表示素子である。
また、第１の基板１０と第２の基板２０は、それぞれ静電気に対して液晶表示素子１００を保護するグランドパターン１４を有する。本実施の形態においては、第１の基板１０と第２の基板２０のグランドパターン１４は静電気を接地部に流す。第１の基板１０のグランドパターン１４と第２の基板２０のグランドパターン１４は、液晶表示素子１００を平面視した場合、第１の基板１０の電極パターン１１と第２の基板２０の電極パターン１１とを囲むように配置される。
【００１２】
さらに、第２の基板２０は、液晶表示素子１００を平面視した場合、第１の基板１０の引き回し配線１３と第１の基板１０のグランドパターン１４との間を覆う第１の遮光層２１を有する。第１の遮光層２１は、第１の基板１０の引き回し配線１３と第１の基板１０のグランドパターン１４との間に生じる横電界に起因する光漏れを防ぐことができる。
【００１３】
液晶表示素子１００の具体的な構成について説明する。
第１の基板１０はガラス、プラスチック等から構成される。第１の基板１０は、第２の基板２０に対向する面に、電極パターン１１とグランドパターン１４とを有する。第１の基板１０の電極パターン１１は、液晶に電圧を印加する駆動電極１２と駆動電極１２に電圧信号を供給する引き回し配線１３とから構成される。本実施の形態においては、第１の基板１０の引き回し配線１３は、第１の基板１０の駆動電極１２と第２の基板２０の駆動電極１２とが重なる領域５０よりも液晶表示素子１００の外縁を通って、後述する端子１５に接続する。
【００１４】
第１の基板１０のグランドパターン１４は、液晶表示素子１００を平面視した場合、第１の基板１０の電極パターン１１と第２の基板２０の電極パターン１１とを囲むように配置される。第１の基板１０のグランドパターン１４は、後述する端子１５に接続し、接地部に静電気を流す。本実施の形態において、第１の基板１０のグランドパターン１４とグランドパターン１４に隣接する引き回し配線１３との間隔は、第２の基板２０におけるグランドパターン１４とグランドパターン１４に隣接する引き回し配線１３との間隔より広いものとする。
【００１５】
また、第１の基板１０は、第１の基板１０における引き回し配線１３とグランドパターン１４、第２の基板２０における引き回し配線１３とグランドパターン１４を外部回路（図示せず）に接続する端子１５を有する。
【００１６】
第１の基板１０における駆動電極１２と引き回し配線１３とグランドパターン１４は、例えば、ＩＴＯ（Ｉｎｄｉｕｍ  Ｔｉｎ  Ｏｘｉｄｅ）膜から構成される。第１の基板１０における駆動電極１２と引き回し配線１３とグランドパターン１４は、公知の方法（スパッタ、蒸着、エッチング等）によって、それぞれ第１の基板１０に形成される。
【００１７】
また、第１の基板１０における駆動電極１２と引き回し配線１３を覆う配向膜（図示せず）が、公知の方法（例えば、フレキソ印刷）によって形成される。配向膜は、例えばポリイミドから構成される。本実施の形態では、配向膜として、垂直配向型の配向膜が用いられる。配向膜には、配向処理（例えば、ラビング処理）が施される。
【００１８】
第２の基板２０は、第１の基板１０と同様に、ガラス、プラスチック等から構成される。第２の基板２０は第１の基板１０に対向する面に第１の遮光層２１を有する。第１の遮光層２１は、液晶表示素子１００を平面視した場合、第１の基板１０のグランドパターン１４に隣接する引き回し配線１３と第１の基板１０のグランドパターン１４と重なる位置に配置され、第１の基板のグランドパターン１４に隣接する引き回し配線１３と第１の基板１０のグランドパターン１４との間を覆い、遮光する。
第１の遮光層２１は、例えば、黒色のフォトレジストから構成される。第１の遮光層２１は、公知の方法（塗布、露光等）によって、第２の基板２０に形成される。
【００１９】
第２の基板２０は、第１の遮光層２１を覆う平坦化膜２５を有する。平坦化膜２５はアクリル系樹脂などから構成され、公知の方法（塗布、硬化等）によって形成される。平坦化膜２５は第１の遮光層２１によって生じる段差を平坦化する。
【００２０】
第２の基板２０においては、平坦化膜２５の上に電極パターン１１とグランドパターン１４が形成される。第２の基板２０の電極パターン１１は、第１の基板１０の電極パターン１１と同様に、液晶に電圧を印加する駆動電極１２と駆動電極１２に電圧信号を供給する引き回し配線１３とから構成される。また、第２の基板２０の引き回し配線１３は、第１の基板１０の駆動電極１２と第２の基板２０の駆動電極１２とが重なる領域５０よりも液晶表示素子１００の外縁を通って、端子１５に接続する。
【００２１】
第２の基板２０のグランドパターン１４は、液晶表示素子１００を平面視した場合、第１の基板１０の電極パターン１１と第２の基板２０の電極パターン１１とを囲むように配置される。第２の基板２０のグランドパターン１４は端子１５に接続し、静電気を接地部に流す。
【００２２】
第２の基板２０における駆動電極１２と引き回し配線１３とグランドパターン１４は、第１の基板の場合と同様に、例えば、ＩＴＯ膜から構成される。第２の基板２０における駆動電極１２と引き回し配線１３とグランドパターン１４は、公知の方法（スパッタ、蒸着、エッチング等）によって、それぞれ平坦化膜２５に形成される。
【００２３】
また、第２の基板２０には、第１の基板１０と同様に、駆動電極１２と引き回し配線１３とを覆う垂直配向型の配向膜が形成され、配向処理が施される。本実施の形態においては、第１の基板１０と第２の基板２０との間で、反平行の配向処理が施される。
【００２４】
第１の基板１０と第２の基板２０は、シール部材４０を介して貼り合わされる。なお、第１の基板１０と第２の基板２０とを貼り合わせる際に、第１の基板１０のグランドパターン１４と第２の基板２０のグランドパターン１４とは、導電部材によって接続される。
第１の基板１０と第２の基板２０とは液晶３０を狭持する。本実施の形態において、液晶３０は負の誘電率異方性を有する。また、液晶表示素子１００は、クロスニコルに配置された２枚の偏光板に挟まれる。すなわち、本実施の形態では、液晶表示素子１００はノーマリーブラック（ネガ）で表示を行うＶＡ（Ｖｅｒｔｉｃａｌ  Ａｌｉｇｎｍｅｎｔ）型液晶表示素子である。
【００２５】
液晶表示素子１００を平面視した場合、第１の基板１０の駆動電極１２と第２の基板２０の駆動電極１２とが重なる領域５０において、液晶３０に電圧が印加され、表示が行われる。外部回路から端子１５−引き回し配線１３−駆動電極１２を介して、液晶３０に電圧が印加される。
【００２６】
引き回し配線１３は、液晶３０に印加する電圧信号を伝達するので、第１の基板１０における引き回し配線１３とグランドパターン１４との間、第２の基板２０における引き回し配線１３とグランドパターン１４との間に横電界が生じる。また、グランドパターン１４は、端子１５を介して静電気を接地部に流すので、静電気を接地部に流す場合に、第１の基板１０における引き回し配線１３とグランドパターン１４との間、第２の基板２０における引き回し配線１３とグランドパターン１４との間に横電界が生じる場合もある。これらの横電界は液晶３０の配向を乱すので、光漏れの原因となる。本実施の形態では、第１の遮光層２１が、第１の基板１０のグランドパターン１４に隣接する引き回し配線１３とグランドパターン１４に重なる位置に配置され、第１の基板１０のグランドパターン１４に隣接する引き回し配線１３とグランドパターン１４との間を覆い、遮光するので、横電界によって生じる光漏れを抑制することができる。
なお、グランドパターン１４は必ずしも接地されていなくてもよい。グランドパターン１４が接地されない場合、外部の静電気から電極パターン１１をシールドし、また液晶表示素子１００全体で電位差を生じさせず、外部の静電気による光漏れ（異常点灯）を防止することができる。
【００２７】
引き回し配線１３とグランドパターン１４との間に生じる横電界のうち、グランドパターン１４と隣接する引き回し配線１３とグランドパターン１４との間の横電界が最も強くなりやすい。本実施の形態においては、第２の基板２０に比べ、より広い間隔を有する第１の基板１０におけるグランドパターン１４に隣接する引き回し配線１３とグランドパターン１４との間を遮光するので、十分に光漏れを抑制することができる。なお、第１の基板１０におけるグランドパターン１４と隣接する引き回し配線１３とグランドパターンとの間と、第２の基板２０におけるグランドパターン１４と隣接する引き回し配線１３とグランドパターン１４との間のうち、より広い領域が遮光されるように、第１の遮光層２１を配置することが、光漏れ抑制の面からは、好ましい。
【００２８】
図４に、本実施の形態の液晶表示素子１００における第１の遮光層２１の幅に対する目視試験の結果を示す。目視試験の液晶表示素子１００においては、液晶３０（メルク社製）の複屈折率（Δｎ）を０．２２、液晶層の厚さを４μｍとし、偏光板に位相差付き偏光板（ポラテクノ社製、Ｒｅ＝５５ｎｍ、Ｒｔｈ＝２２０ｎｍ）を使用した。図４において、１〜４は、それぞれ光漏れあるいは第１の遮光層２１が、見えない、ほとんど見えない、目立たない、目立って見える、ことを示す。
【００２９】
第１の遮光層２１の幅が５０μｍ未満では光漏れの抑制が十分でなく、第１の遮光層２１の幅が３００μｍより広い場合では第１の遮光層２１が目立って見える。したがって、第１の遮光層２１の幅は、５０μｍ以上、３００μｍ以下であることが望ましい。
【００３０】
（実施の形態２）
図５に、本実施の形態に係る液晶表示素子１１０の断面を示す。本実施の形態において、第１の基板１０と第２の基板２０は、それぞれシール部材４０に囲まれた領域内に駆動電極１２と引き回し配線１３とを覆う垂直配向型の配向膜７０を有する。また、第２の基板２０は、液晶表示素子１１０を平面視した場合、配向膜７０の一部と重なり、シール部材４０と配向膜７０との間を覆う第２の遮光層７１を有する。その他の構成は、実施の形態１と同様である。
【００３１】
配向膜７０の端部は膜厚などが不均一であるため、配向膜７０の端部において液晶３０の配向が乱れる。この液晶３０の配向の乱れが、光漏れの原因となる。本実施の形態においては、第２の遮光層７１は配向膜７０の一部と重なり、シール部材４０と配向膜７０との間を覆い、遮光するので、電極パターン１１（引き回し配線１３）とグランドパターン１４との間の光漏れに加え、配向膜７０の端部で生じる光漏れも抑制できる。
【００３２】
図６に、本実施の形態の液晶表示素子１１０における第２の遮光層７１の幅に対する目視試験の結果を示す。目視試験の液晶表示素子１１０においては、実施の形態１と同様に、液晶３０の複屈折率（Δｎ）を０．２２（メルク社製）、液晶層の厚さを４μｍとし、偏光板に位相差付き偏光板（ポラテクノ社製、Ｒｅ＝５５ｎｍ、Ｒｔｈ＝２２０ｎｍ）を使用した。図６において、１〜４は、それぞれ光漏れあるいは遮光層が、見えない、ほとんど見えない、目立たない、目立って見える、ことを示す。
【００３３】
第２の遮光層７１の幅が２０μｍ未満では光漏れの抑制が十分でなく、第２の遮光層７１の幅が１０００μｍより広い場合では第２の遮光層７１が目立って見える。したがって、第２の遮光層７１の幅は、２０μｍ以上、１０００μｍ以下であることが望ましい。
【００３４】
（実施の形態３）
図７に、本実施の形態に係る液晶表示素子１２０の断面を示す。本実施の形態において、第２の基板２０は、液晶表示素子１２０を平面視した場合、第１の基板１０の駆動電極１２と第２の基板２０の駆動電極１２とが重なる領域５０の端部を覆う第３の遮光層７２を有する。第３の遮光層７２の一部は、第１の基板１０の駆動電極１２と第２の基板２０の駆動電極１２とが重なる領域５０の端部と重なり、第３の遮光層７２の他の一部は第１の基板１０の駆動電極１２と第２の基板２０の駆動電極１２とが重なる領域５０の外側と重なる（第３の遮光層７２は、第１の基板１０の駆動電極１２と第２の基板２０の駆動電極１２とが重なる領域５０の境界に跨る）。その他の構成は、実施の形態１と同様である。
【００３５】
第１の基板１０の駆動電極１２と第２の基板２０の駆動電極１２とが重なる領域５０では、液晶３０に電圧が印加され、表示が行われる。この場合、第１の基板１０の駆動電極１２と第２の基板２０の駆動電極１２との大きさの違いなどによって、第１の基板１０の駆動電極１２と第２の基板２０の駆動電極１２とが重なる領域５０の端部において、第１の基板１０の駆動電極１２と第２の基板２０の駆動電極１２との間に斜め方向の電界が発生する。この斜め方向の電界は液晶３０の配向を乱すので、光漏れの原因となる。本実施の形態においては、第３の遮光層７２が第１の基板１０の駆動電極１２と第２の基板２０の駆動電極１２とが重なる領域５０の一部と重なり、第１の基板１０の駆動電極１２と第２の基板２０の駆動電極１２とが重なる領域５０の端部を覆い、遮光するので、電極パターン１１（引き回し配線１３）とグランドパターン１４との間の光漏れに加え、第１の基板１０の駆動電極１２と第２の基板２０の駆動電極１２とが重なる領域５０の端部で生じる光漏れも抑制することができる。
第３の遮光層７２の幅は、観察者が液晶表示素子１２０を見た場合に目立たないように、６０μｍ以下であることが望ましい。また、光漏れを十分に抑制するために、第３の遮光層７２は、第１の基板１０の駆動電極１２と第２の基板２０の駆動電極１２とが重なる領域５０と５μｍ以上重なることが望ましい。
【００３６】
（実施の形態４）
図８に、本実施の形態に係る液晶表示素子１３０の外観を示す。また、図９は図８におけるＣ−Ｃ線断面の概略を示す。図１０は液晶表示素子１３０の第１の基板１０の駆動電極１２と第２の基板２０の駆動電極１２とが重なる領域５０を示す。
本実施の形態において、第１の基板１０の駆動電極１２と第２の基板２０の駆動電極１２は、複数の走査電極又は信号電極から構成される。すなわち、本実施の形態における液晶表示素子１３０はドットマトリクス表示を行う液晶表示素子である。また、第２の基板２０は、液晶表示素子１３０を平面視した場合、第１の基板１０の駆動電極１２と第２の基板２０の駆動電極１２とが重なる領域５０を第１の基板１０の駆動電極１２と第２の基板２０の駆動電極１２とが重なる領域５０の角部を面取りした形状に残して、第１の基板１０の駆動電極１２と第２の基板２０の駆動電極１２とが重なる領域５０の端部を覆う第４の遮光層７３を有する。第４の遮光層７３の一部は、第１の基板１０の駆動電極１２と第２の基板２０の駆動電極１２とが重なる領域５０の端部と重なり、第４の遮光層７３の他の一部は第１の基板１０の駆動電極１２と第２の基板２０の駆動電極１２とが重なる領域５０の外側と重なる（第４の遮光層７３は、第１の基板１０の駆動電極１２と第２の基板２０の駆動電極１２とが重なる領域５０の境界に跨る）。その他の構成は、実施の形態１と同様である。
【００３７】
第１の基板１０の駆動電極１２と第２の基板２０の駆動電極１２とが重なる領域５０の角部は、２つの斜め方向の電界（２つの辺）に囲まれるので、液晶３０の配向の乱れが大きい。本実施の形態においては、第４の遮光層７３は液晶３０の配向の乱れが大きい角部も覆い、遮光するので、光漏れを抑制することができる。また、第１の基板１０の駆動電極１２と第２の基板２０の駆動電極１２とが重なる領域５０の角部を面取りする第４の遮光層７３における三角形状部分の幅ａは、第１の基板１０の駆動電極１２と第２の基板２０の駆動電極１２とが重なる領域５０の端部を遮光する部分の幅ｂの２倍以下であることが、開口率を高める点から好ましい。
【００３８】
なお、第１の基板１０の駆動電極１２と第２の基板２０の駆動電極１２とが重なる領域５０の４つの角部のうち、第１の基板１０における配向処理方向８０と第２の基板２０における配向処理方向８５によって規定される液晶の傾斜方向８１と斜め方向の電界８２の傾斜方向が一致しない辺８３と、他の２辺がなす２つの角部における液晶３０の配向の乱れが特に大きい。したがって、これら２つの角部が第４の遮光層７３によって覆われていればよい（図１１、１２）。
【００３９】
以上に説明したように、上記実施の形態で説明した液晶表示装置１００、１１０、１２０、１３０によれば、光漏れを抑制した液晶表示素子を提供することができる。これは、以下の構成によって実現される。
【００４０】
液晶表示素子１００、１１０、１２０、１３０は、
液晶３０と、液晶３０を狭持する第１の基板１０と第２の基板２０とを備えた液晶表示素子１００、１１０、１２０、１３０であって、
第１の基板１０と第２の基板２０は、それぞれ電極パターン１１を有し、
電極パターン１１は、液晶３０に電圧を印加する駆動電極１２と駆動電極１２に電圧信号を供給する引き回し配線１３とから構成され、
第１の基板１０と第２の基板２０の少なくとも一方は、液晶表示素子１００、１１０、１２０、１３０を平面視した場合に、第１の基板１０と第２の基板２０の少なくとも一方に設けられたグランドパターン１４と電極パターン１１との間を覆う第１の遮光層２１を有する。
【００４１】
第１の遮光層２１の幅が５０μｍ以上、３００μｍ以下であってもよい。
【００４２】
第１の基板１０と第２の基板２０はシール部材４０によって貼り合わされ、
第１の基板１０と第２の基板２０は、それぞれシール部材４０に囲まれる領域内に液晶３０を配向する配向膜７０を有し、
第１の基板１０と第２の基板２０の少なくとも一方は、液晶表示素子１００、１１０、１２０、１３０を平面視した場合に、シール部材４０と配向膜７０との間を覆う第２の遮光層７１を有してもよい。
【００４３】
第２の遮光層７１の幅が、２０μｍ以上、１０００μｍ以下であってもよい。
【００４４】
液晶表示素子１００、１１０、１２０、１３０を平面視した場合、第１の基板１０と第２の基板２０の少なくとも一方は、第１の基板１０の駆動電極１２と第２の基板２０の駆動電極１２とが重なる領域５０の端部を覆う第３の遮光層７２を有してもよい。
【００４５】
液晶表示素子１００、１１０、１２０、１３０を平面視した場合、第１の基板１０と第２の基板２０の少なくとも一方は、第１の基板１０の駆動電極１２と第２の基板２０の駆動電極１２とが重なる領域５０を当該領域５０の角部を面取りした形状に残して、当該領域５０の端部を覆う第４の遮光層７３を有してもよい。
【００４６】
液晶表示素子１００、１１０、１２０、１３０は、ＶＡ型液晶表示素子に限られない。例えば、液晶表示素子１００、１１０、１２０、１３０として、ＳＴＮ（Ｓｕｐｅｒ−Ｔｗｉｓｔｅｄ  Ｎｅｍａｔｉｃ）型液晶表示素子が挙げられる。
【００４７】
第１の遮光層２１は、グランドパターン１４に隣接する引き回し配線１３とグランドパターン１４との間だけでなく、複数の引き回し配線１３を覆い、複数の引き回し配線１３とグランドパターン１４との間を遮光してもよい。
【００４８】
第１、２、３、４の遮光層２１、７１、７２、７３は、第１の基板１０に設けられてもよい。また、第１、２、３、４の遮光層２１、７１、７２、７３は、第１の基板１０と第２の基板２０の両方に設けられてもよい。
【００４９】
以上の説明では、本発明の理解を容易にするために、重要でない公知の技術的事項の説明を適宜省略した。
【符号の説明】
【００５０】
１０                第１の基板
１１                電極パターン
１２                駆動電極
１３                引き回し配線
１４                グランドパターン
１５                端子
２０                第２の基板
２１                第１の遮光層
２５                平坦化膜
３０                液晶
４０                シール部材
５０                第１の基板の駆動電極と第２の基板の駆動電極とが重なる領域
７０                配向膜
７１                第２の遮光層
７２                第３の遮光層
７３                第４の遮光層
８０                第１の基板における配向処理方向
８１                液晶の傾斜方向
８２                斜め方向の電界
８３                配向処理方向によって規定される液晶の傾斜方向と斜め方向の電界の傾斜方向が一致しない辺
８５                第２の基板における配向処理方向
１００                液晶表示素子
１１０                液晶表示素子
１２０                液晶表示素子
１３０                液晶表示素子
【図１】
2014228722.tif 000003
【図２】
2014228722.tif 000004
【図３】
2014228722.tif 000005
【図４】
2014228722.tif 000006
【図５】
2014228722.tif 000007
【図６】
2014228722.tif 000008
【図７】
2014228722.tif 000009
【図８】
2014228722.tif 000010
【図９】
2014228722.tif 000011
【図１０】
2014228722.tif 000012
【図１１】
2014228722.tif 000013
【図１２】
2014228722.tif 000014